(57)【要約】      （修正有）【課題】必要時においてその都度、所望の収納物を速やかに取出せる、印鑑、リップクリーム、口紅等の棒状小物を収納する小物収納具を提供する。【解決手段】布、合成樹脂、皮革等の軟質性材料にて形成されると共に、印鑑、リップクリーム、口紅等の棒状小物Ｐを収納する上端開口の有底型筒部２と、布、合成樹脂、皮革等の軟質性材料にて形成されると共に、有底型筒部２の上端に連接して伸延され、且つ連接部を中心に筒部の底部方向に折り曲げられてその上端開口を閉塞する長方形のカバー３と、更に有底型筒部２の背面に装着されると共に、ポシェット、カバン等に備えられたベルト８、紐、更には衣服のポケット等に引掛けられるフック７、とで構成した。【選択図】図１
0003218139.tif 000002
【実用新案登録請求の範囲】
【請求項１】
▲１▼布、合成樹脂、皮革等の軟質性材料にて形成されると共に、印鑑、リップクリーム、口紅等の棒状小物を収納する上端開口の有底型筒部と、
▲２▼布、合成樹脂、皮革等の軟質性材料にて形成されると共に、前記有底型筒部の上端に連接して伸延され、且つ連接部を中心に筒部の底部方向に折り曲げられてその上端開口を閉塞する長方形のカバーと、
▲３▼更に前記有底型筒部の背面に装着されると共に、ポシェット、カバン等に備えられたベルト、紐、更には衣服のポケット等に引掛けられるフックとで成したことを特徴とする小物収納具。
【請求項２】
前記上端開口の有底型筒部は、一枚の素材下端を折り返して形成された背板と表板との夫々の両側部を縫合して筒状に形成し、且つ該背板を伸延して前記有底型筒部に被着する長方形のカバーとしたことを特徴とする請求項１記載の小物収納具。
【請求項３】
前記上端開口の有底型筒部は、側部よりボールペン等の筆記具が挿入されるループ部を突出させたことを特徴する請求項１〜２の何れか１記載の小物収納具。
【請求項４】
前記上端開口の有底型筒部は、長方形のカバーを底部方向に折り曲げてその上端開口を閉塞する際、該有底型筒部と長方形のカバーとに夫々互いに係合する凹凸係合子を設けたことを特徴とする請求項１〜３の何れか１記載の小物収納具。
【請求項５】
前記フックは、金属板にて下開口のＵ字型に形成して、その前板と有底型筒部に鋲止め結合したことを特徴と請求項１〜４の何れか１記載の小物収納具。
【考案の詳細な説明】
【技術分野】
【０００１】  本考案は、主に印鑑、リップクリーム、口紅等の棒状小物を収納する小物収納具に関する。
【背景技術】
【０００２】  今日、身の回り品は、その多様化に伴い、印鑑、リップクリーム、口紅等の棒状小物が多く存在し、これ等は小物ということから手提げバック内に他の用具等と共に、混在して一緒に収納し、或いは衣服のポケット内に納めた状態にて持ち運んでいる。
反面、小物が故に嵩張らない為、突然の使用に際しては、記憶も定かでなく、その保管場所を手探りにて探し出すことも多く、特に急を要する場合、慌てることも伴って、不測の事態を招くこととなる。【０００３】  そこで、本考案に関連する先行技術について言及すると、先ず下記特許文献１は、単に印鑑をクリップ付キャップとケース内とに収納しているのみであって、特にケースは金属或いは硬質の合成樹脂にて形成されており、例えば衣服の内ポケットに収納した場合、肌に違和感を感じさせることとなる。【０００４】  更に同文献２についても同様であって、外側筒体は多少の軟性体としているが、下筒とはお互いにネジ結合していることから、一定の硬質が要求され、布、合成樹脂、皮革等の軟質性材料に比し、衣服の内ポケットに引掛けた場合、肌に違和感を感じさせることとなる。
また、衣服等に取り付ける場合も、チェーンを介しており、恰も吊り下げる状態に等しく、違和感を否定できない。
【先行技術文献】
【０００５】
【特許文献１】実開昭６３−１４４２５７号  公報
【特許文献１】実用新案登録第３０３９００２号  公報
【考案の概要】
【考案が解決しようとする課題】
【０００６】  身の回り品の多様化に伴い印鑑、リップクリーム、口紅等の多くの棒状小物を持ち歩くことから、これ等の小物は嵩張らないために、使用時にその保管場所を感触にて探し出すことが容易ではないく、そこで必要時においてその都度、所望の収納物を速やかに取出せることを企図したものである。
【課題を解決するための手段】
【０００７】  本考案は、布、合成樹脂、皮革等の軟質性材料にて形成されると共に、印鑑、リップクリーム、口紅等の棒状小物を収納する上端開口の有底型筒部と、布、合成樹脂、皮革等の軟質性材料にて形成されると共に、前記有底型筒部の上端に連接して伸延され、且つ連接部を中心に筒部の底部方向に折り曲げられてその上端開口を閉塞する長方形のカバーと、更に前記有底型筒部の背面に装着されると共に、ポシェット、カバン等に備えられたベルト、紐、更には衣服のポケット等に引掛けられるフックとで成したことを特徴とするものである。【０００８】  更に本考案は、上端開口の有底型筒部は、一枚の素材下端を折り返して形成された背板と表板との夫々の両側部を縫合して筒状に形成し、且つ該背板を伸延して前記有底型筒部に被着する長方形のカバーとしたことを特徴とするものである。【０００９】  更に本考案は、上端開口の有底型筒部は、側部よりボールペン等の筆記具が挿入されるループ部を突出させたことを特徴とするものである。【００１０】  更に本考案は、上端開口の有底型筒部は、長方形のカバーを底部方向に折り曲げてその上端開口を閉塞する際、該有底型筒部と長方形のカバーとに夫々互いに係合する凹凸係合子を設けたことを特徴とするものである。【００１１】  更に本考案は、フックは、金属板にて下開口のＵ字型に形成して、その前板と有底型筒部に鋲止め結合したことを特徴とするものである。
【考案の効果】
【００１２】（１）請求項１により、布、合成樹脂、皮革等の軟質性材料にて形成された上端開口の有底型筒部に、身の回り品の例えば、印鑑、リップクリーム、口紅等の多くの棒状小物を収納して持ち歩くことによって、それらを使用する際、その保管場所を感触にて探し出すことが容易となり、必要時において、その所望の収納物を速やかに取出せることができる。
特に、それら身の回り品の小物は、収納された状態で上端に連接された長方形のカバーにて閉塞されており、それらの品が不用意に抜け出ることが無い。
更に、有底型筒部の背面にはフックを装着しており、衣服の内ポケット、或いはポシェット等に備えられたベルト、紐等に引掛けることが出来、違和感なく携帯できる。【００１３】（２）請求項２により、印鑑、リップクリーム、口紅等を収納する有底型筒部は、一枚の素材の下端を折り返すと共に、背板と表板との夫々の両側部を縫合して筒状に形成し、且つ該背板を伸延して長方形のカバーとしているから、同一素材で、而も一体に製作されており、個別の材料で、而も夫々別部材として製作されるものに比し、製作が容易で、且つ製作前の部材管理にも適する。【００１４】（３）請求項３により、印鑑、リップクリーム、口紅等を収納する有底型筒部の側部にループ部を備えており、必要に応じボールペン等の筆記具を挿入携帯することができる。【００１５】（４）請求項４により、印鑑、リップクリーム、口紅等を収納して持ち運ぶ際に、有底型筒部の口部は長方形のカバーとの凹凸係合子によって、閉塞され、それら収納物が無用に落ちこぼれることもない。【００１６】（５）請求項５により、フックは、金属板にて下開口のＵ字型に形成して、その前板と有底型筒部とを互いに鋲止め結合しており、軟質性材料にて形成され有底型筒部の背板となって、一定の保形性を維持する。
【図面の簡単な説明】
【００１７】
【図１】小物収納具の斜視図
【図２】同上の縦断面図
【図３】同上の横断面図
【図４】同上のフックの斜視図
【考案を実施するための形態】
【００１８】  以下本考案を実施形態の図面に基づいて説明すると、図１は小物収納具を示す斜視図であって、布、合成樹脂、皮革等の軟質性材料にて形成された上端開口１ａの有底型筒部２と、更に同様の素材にて形成された長方形のカバー３にて小物収納具本体１を構成する。
収納される小物Ｐとは、主に印鑑、リップクリーム、口紅等の棒状小物であって、所望の小物Ｐを身に添えて適宜持ち運ぶものである。
【００１９】  図１に於いては、一枚の軟質性材料を用いて有底型筒部２の上端を伸延して長方形のカバー３を連接し、この連接部２ａを中心に矢印Ｘにて示す如く、筒部２の底部２ｂの方向に折り曲げることによって、小物収納具本体１の上端開口１ａを閉塞する。また、その閉塞をより確実なものとする様、小物収納具本体１と長方形のカバー３には、互いに係合する凹凸係合子４，５を備えている。
勿論、収納された小物Ｐを取り出す際は、上記カバー３にて閉蓋されている状態から矢印Ｘ方向に反転させて開蓋する。
有底型筒部２は、側部よりループ部６を突出させており、このループ部６にボールペン等の筆記具Ｂを挿入し、例えば捺印と併せて署名への対応にも適する。
【００２０】  而して、このループ部６は、有底型筒部２及び長方形のカバー３と同様に軟質性材料にて形成され、縫目Ｓにて示す様に三者一体に縫合する。
更に、有底型筒部２の背面２ｃにはフック７を装着しており、このフック７をポシェット、カバン等の内側に備えられたベルト、紐、更には衣服のポケット等に引掛けるが、実施例の図面においてはベルト８に引掛けている。
このフック７はＵ字型に形成されており、一片７ａを有底型筒部２の背面２ｃに上下カシメ鋲９，９にて取着する。
【符号の説明】
【００２１】    Ｂ  筆記具
Ｐ  棒状小物
Ｓ  縫目
１  小物収納具本体
２  有底型筒部
３  長方形のカバー
４  凸係合子
５  凹係合子
６  ループ部
７  フック
８  ベルト
９  カシメ鋲
【図１】
0003218139.tif 000003
【図２】
0003218139.tif 000004
【図３】
0003218139.tif 000005
【図４】
0003218139.tif 000006
【手続補正書】
【提出日】平成30年6月27日(2018.6.27)
【手続補正１】
【補正対象書類名】実用新案登録請求の範囲
【補正対象項目名】全文
【補正方法】変更
【補正の内容】
【実用新案登録請求の範囲】
【請求項１】
▲１▼布、合成樹脂、皮革等の軟質性材料にて形成されると共に、印鑑、リップクリーム、口紅等の棒状小物を収納する上端開口の有底型筒部と、
▲２▼布、合成樹脂、皮革等の軟質性材料にて形成されると共に、前記有底型筒部の上端に連接して伸延され、且つ連接部を中心に筒部の底部方向に折り曲げられてその上端開口を閉塞する長方形のカバーと、
▲３▼更に前記有底型筒部の背面に装着されると共に、ポシェット、カバン等に備えられたベルト、紐、更には衣服のポケット等に引掛けられるフックとで成したことを特徴とする小物収納具。
【請求項２】
前記上端開口の有底型筒部は、一枚の素材下端を折り返して形成された背板と表板との夫々の両側部を縫合して筒状に形成し、且つ該背板を伸延して前記有底型筒部に被着する長方形のカバーとしたことを特徴とする請求項１記載の小物収納具。
【請求項３】
前記上端開口の有底型筒部は、側部よりボールペン等の筆記具が挿入されるループ部を突出させたことを特徴とする請求項１〜２の何れか１記載の小物収納具。
【請求項４】
前記上端開口の有底型筒部は、長方形のカバーを底部方向に折り曲げてその上端開口を閉塞する際、該有底型筒部と長方形のカバーとに夫々互いに係合する凹凸係合子を設けたことを特徴とする請求項１〜３の何れか１記載の小物収納具。
【請求項５】
前記フックは、金属板にて下開口のＵ字型に形成して、その前板を前記有底型筒部に鋲止め結合したことを特徴とする請求項１〜４の何れか１記載の小物収納具。
【手続補正２】
【補正対象書類名】明細書
【補正対象項目名】００１１
【補正方法】変更
【補正の内容】
【００１１】  更に本考案は、フックは、金属板にて下開口のＵ字型に形成して、その前板を前記有底型筒部に鋲止め結合したことを特徴とするものである。